【手続補正書】
【提出日】平成19年1月19日(2007.1.19)
【手続補正１】
【補正対象書類名】特許請求の範囲
【補正対象項目名】全文
【補正方法】変更
【補正の内容】
【特許請求の範囲】
【請求項１】
検出領域において検出されたＸ線曝射量に基づいてＸ線発生手段を制御する曝射制御手段を有するＸ線撮影装置から得られた撮影データを取得する第１取得手段と、
前記撮影データを生成した際に前記Ｘ線撮影装置において使用された検出領域の位置及び範囲を示す検出領域情報を取得する第２取得手段と、
前記第２取得手段で取得した検出領域情報に基づく検出領域を表す画像を、前記第１取得手段で取得した撮影データに基づく撮影画像に重畳して表示手段に表示させる制御手段とを備えることを特徴とするＸ線撮影画像表示制御装置。
【請求項２】
前記１つまたは複数の検出領域の各々の位置及び範囲を登録した第１テーブルと、
撮影方法に対応して使用する検出領域及びその組み合わせの少なくともいずれかを登録した第２テーブルと、
前記撮影データの取得に先立って当該Ｘ線撮影に関して撮影方法を指定する指定情報を保持する保持手段とを更に備え、
前記第２取得手段は、前記第２テーブルを参照することにより前記保持手段で保持された前記指定情報に基づいて前記Ｘ線撮影に使用された検出領域を特定し、該特定された検出領域に対応する前記検出領域情報を前記第１テーブルを参照して取得することを特徴とする請求項１に記載のＸ線撮影画像表示制御装置。
【請求項３】
撮影方法を指示するためのユーザインターフェースを更に備え、
前記保持手段は、前記ユーザインターフェースを介して設定された撮影方法を前記指定情報として保持することを特徴とする請求項２に記載のＸ線撮影画像表示制御装置。
【請求項４】
ネットワークに接続する接続手段を更に備え、
前記保持手段は、前記指定情報を前記ネットワークを介して外部より取得することを特徴とする請求項２に記載のＸ線撮影画像表示制御装置。
【請求項５】
前記１つまたは複数の検出領域の各々の位置及び範囲を登録したテーブルと、
外部よりＸ線撮影に使用される、または使用された検出領域を示す使用情報を受信する受信手段とを更に備え、
前記第２取得手段は、前記受信手段で受信した使用情報に基づいて、前記テーブルを参照して前記検出領域情報を取得することを特徴とする請求項１に記載のＸ線撮影画像表示制御装置。
【請求項６】
前記受信手段は、前記Ｘ線撮影装置よりＸ線撮影に使用された検出領域を示す使用情報を受信することを特徴とする請求項５に記載のＸ線撮影画像表示制御装置。
【請求項７】
前記制御手段は、前記検出領域を示す画像を重畳表示を実行させるか否かを前記撮影データに基づいて判定することを特徴とする請求項１に記載のＸ線撮影画像表示制御装置。
【請求項８】
前記制御手段は、前記撮影データの前記検出領域内の平均画素値と、当該撮影方法に対応した検出領域内の標準的な平均画素値として予め決定されている基準値とを比較し、該比較の結果にしたがって前記重畳表示の実行要否を判定することを特徴とする請求項７に記載のＸ線撮影画像表示制御装置。
【請求項９】
前記制御手段は、前記撮影データの関心領域内の平均画素値と、当該撮影方法に対応した関心領域の標準的な平均画素値として予め決定されている基準値とを比較し、該比較の結果にしたがって前記重畳表示の実行要否を判定することを特徴とする請求項７に記載のＸ線撮影画像表示制御装置。
【請求項１０】
前記制御手段は、前記撮影データ全体の濃度ヒストグラムのピーク画素値と、当該撮影方法に対応した撮影データの濃度ヒストグラムのピーク画素値として予め決定されている基準値とを比較し、該比較の結果にしたがって前記重畳表示の実行要否を判定することを特徴とする請求項７に記載のＸ線撮影画像表示制御装置。
【請求項１１】
検出領域において検出されたＸ線曝射量に基づいてＸ線発生手段を制御する曝射制御手段を有するＸ線撮影装置から得られた撮影データを表示する表示装置の制御方法であって、
第１取得手段が、前記Ｘ線撮影装置から得られた撮影データを取得する第１取得工程と、
第２取得手段が、前記撮影データを生成した際に前記Ｘ線撮影装置において使用された検出領域の位置及び範囲を示す検出領域情報を取得する第２取得工程と、
制御手段が、前記第２取得工程で取得した検出領域情報に基づく検出領域を表す画像を、前記第１取得工程で取得した撮影データに基づく撮影画像に重畳して表示手段に表示させる制御工程とを備えることを特徴とするＸ線撮影画像表示制御方法。
【請求項１２】
Ｘ線撮影ユニットとこれを制御する制御ユニットを含むＸ線撮影システムであって、
前記Ｘ線撮影ユニットは、
検出領域において検出されたＸ線曝射量に基づいてＸ線発生手段を制御する曝射制御手段と、
撮影データを前記制御ユニットへ送信する送信手段とを有し、
前記制御ユニットは、
前記送信手段によって送信された撮影データを取得する第１取得手段と、
前記撮影データを生成した際に前記Ｘ線撮影ユニットにおいて使用された検出領域の位置及び範囲を示す検出領域情報を取得する第２取得手段と、
前記第２取得手段で取得した検出領域情報に基づく検出領域を表す画像を、前記第１取得手段で取得した撮影データに基づく撮影画像に重畳して表示手段に表示させる制御手段とを備えることを特徴とするＸ線撮影システム。
【請求項１３】
請求項１１に記載のＸ線撮影画像表示制御方法をコンピュータに実行させるための制御プログラム。
【請求項１４】
請求項１１に記載のＸ線撮影画像表示制御方法をコンピュータに実行させるための制御プログラムを格納したコンピュータ可読記憶媒体。
【手続補正２】
【補正対象書類名】明細書
【補正対象項目名】００１５
【補正方法】変更
【補正の内容】
【００１５】
上記の目的を達成するための本発明によるＸ線撮影画像表示制御装置は、
検出領域において検出されたＸ線曝射量に基づいてＸ線発生手段を制御する曝射制御手段を有するＸ線撮影装置から得られた撮影データを取得する第１取得手段と、
前記撮影データを生成した際に前記Ｘ線撮影装置において使用された検出領域の位置及び範囲を示す検出領域情報を取得する第２取得手段と、
前記第２取得手段で取得した検出領域情報に基づく検出領域を表す画像を、前記第１取得手段で取得した撮影データに基づく撮影画像に重畳して表示手段に表示させる制御手段とを備える。
【手続補正３】
【補正対象書類名】明細書
【補正対象項目名】００１６
【補正方法】変更
【補正の内容】
【００１６】
また、上記の目的を達成するための本発明によるＸ線撮影画像表示制御方法は、
検出領域において検出されたＸ線曝射量に基づいてＸ線発生手段を制御する曝射制御手段を有するＸ線撮影装置から得られた撮影データを表示する表示装置の制御方法であって、
第１取得手段が、前記Ｘ線撮影装置から得られた撮影データを取得する第１取得工程と、
第２取得手段が、前記撮影データを生成した際に前記Ｘ線撮影装置において使用された検出領域の位置及び範囲を示す検出領域情報を取得する第２取得工程と、
制御手段が、前記第２取得工程で取得した検出領域情報に基づく検出領域を表す画像を、前記第１取得工程で取得した撮影データに基づく撮影画像に重畳して表示手段に表示させる制御工程とを備える。
【手続補正４】
【補正対象書類名】明細書
【補正対象項目名】発明の名称
【補正方法】変更
【補正の内容】
【発明の名称】Ｘ線撮影画像表示制御装置及び方法